(57)【要約】【課題】  ＶｏＩＰ通話への発呼に要する時間を低減でき、利用者にとって使い勝手の良いＶｏＩＰ通話システムを提供すること。【解決手段】ＩＳＰ１ａ、１ｂ、１ｃへのデータ通信接続を制御する接続制御サーバ１０と、ＶｏＩＰ通話制御手段を備えた携帯電話機５に装着される携帯電話用アダプタ２００とからなり、接続制御サーバ１０はデータ通信接続の許可情報を記憶し、携帯電話用アダプタ２００はアダプタＩＤを含む登録要求をＩＳＰ１ａの接続制御サーバ１０に送信し、ＩＳＰ１ａの接続制御サーバ１０は登録要求に含まれるアダプタＩＤを含む許可情報からなる新規登録要求をＩＳＰ１ｂ、１ｃの接続制御サーバ１０に送信し、ＩＳＰ１ｂ、１ｃの接続制御サーバ１０は新規登録要求に含まれる許可情報を記憶し、携帯電話用アダプタ２００から受信した許可情報と一致したことを条件にデータ通信接続を許可する。【選択図】  図１
2006303758.tif 000002
【特許請求の範囲】
【請求項１】
相互にデータ通信が可能に接続された複数の各ＩＰ通信網毎に設置され、当該ＩＰ通信網の運営機関が運営するアクセスポイントに設置された無線通信装置とデータ通信可能に接続されるとともに、該アクセスポイントを通じての当該ＩＰ通信網へのデータ通信接続を制御する接続制御サーバと、
前記無線通信装置との間において無線データ通信を行う無線データ通信手段と、利用者の携帯電話機と通話音声或いは通話音声データの入出力を行う通話音声入出力手段と、該通話音声入出力手段より入力された通話音声或いは通話音声データに基づき、通話先のＩＰアドレスを含むＶｏＩＰパケットを生成して前記無線データ通信手段より通話先に対して送信するとともに、前記無線データ通信手段にて受信した通話先からのＶｏＩＰパケットに基づいて前記通話音声入出力手段にて前記携帯電話機に出力される通話音声或いは通話音声データを生成するＶｏＩＰ通話制御手段と、を備え、前記携帯電話機に装着される携帯電話用アダプタと、
から成るＶｏＩＰ通話システムにおいて、
前記接続制御サーバは、当該ＩＰ通信網へのデータ通信接続を許可するための接続許可情報を記憶する接続許可情報記憶手段を備え、
前記携帯電話用アダプタは、利用者の携帯電話機に装着されたことに基づいて、当該携帯電話用アダプタに固有に付与されたアダプタ識別情報を少なくとも含む登録要求を、所定の運営機関が運営する前記接続制御サーバに送信し、
該登録要求を受信した所定の運営機関が運営する前記接続制御サーバは、当該受信した登録要求に含まれるアダプタ識別情報に対応して管理している接続許可情報を含む更新要求を他のＩＰ通信網毎に設置されている前記接続制御サーバに送信し、
該更新要求を受信した他のＩＰ通信網毎に設置されている前記接続制御サーバは、前記接続許可情報記憶手段に記憶されている接続許可情報を更新要求に含まれる接続許可情報に基づいて更新するとともに、前記アクセスポイントを介して前記携帯電話用アダプタから受信した接続許可情報が該接続許可情報記憶手段に記憶されていることを条件に、当該携帯電話用アダプタのＩＰ通信網へのデータ通信接続を許可することを特徴とするＶｏＩＰ通話システム。
【請求項２】
前記携帯電話用アダプタは、装着された利用者の携帯電話機の携帯電話番号を取得し、該取得した携帯電話番号を含む登録要求を送信し、
該登録要求を受信した所定の運営機関が運営する前記接続制御サーバは、該登録要求に含まれるアダプタ識別情報と携帯電話番号とを対応付けて管理することを特徴とする請求項１に記載のＶｏＩＰ通話システム。
【請求項３】
前記登録要求を受信した所定の運営機関が運営する前記接続制御サーバは、受信した登録要求に含まれるアダプタ識別情報と携帯電話番号とから成る接続許可情報を含む更新要求を送信し、
前記携帯電話用アダプタは、当該携帯電話用アダプタに付与されているアダプタ識別情報と、発呼に際して前記携帯電話機から通話先の電話番号とともに出力される当該携帯電話機の携帯電話番号とから成る接続許可情報を、無線データ通信が可能な前記アクセスポイントを介して当該アクセスポイントの運営機関に設置された接続制御サーバに送信することを特徴とする請求項２に記載のＶｏＩＰ通話システム。
【請求項４】
前記携帯電話用アダプタは、ＶｏＩＰ通話の通話料金を精算するためのプリペイド価値を記憶するためのプリペイド価値記憶部と、当該携帯電話用アダプタから発呼したＶｏＩＰ通話の通話代金に相当する大きさのプリペイド価値を前記プリペイド価値記憶部に記憶されているプリペイド価値の大きさから減算更新するプリペイド価値減算更新手段と、を備えることを特徴とする請求項１〜３のいずれかに記載のＶｏＩＰ通話システム。
【請求項５】
前記携帯電話用アダプタは、前記プリペイド価値記憶部に記憶されている当該携帯電話用アダプタの販売時点のプリペイド価値の大きさを含む登録要求を前記所定の運営機関が運営する接続制御サーバに送信し、
前記所定の運営機関が運営する接続制御サーバは、各アダプタ識別情報に対応付けて当該アダプタ識別情報から特定される携帯電話用アダプタの前記プリペイド価値記憶部に記憶されている少なくとも当該携帯電話用アダプタの販売時点のプリペイド価値の大きさを管理しており、受信した登録要求に含まれるプリペイド価値の大きさと該受信した登録要求に含まれるアダプタ識別情報に対応して管理しているプリペイド価値の大きさとが一致することを条件として他のＩＰ通信網毎に設置されている前記接続制御サーバに前記更新要求を送信することを特徴とする請求項４に記載のＶｏＩＰ通話システム。
【発明の詳細な説明】
【技術分野】
【０００１】
本発明は、携帯電話機に装着することで該携帯電話機に、複数の各ＩＰ通信網のアクセスポイントを介してのＶｏＩＰ（Ｖｏｉｃｅ  ｏｖｅｒ  ＩＰ）通話を可能とするＶｏＩＰ通話システムに関する。
【背景技術】
【０００２】
近年、データ通信の高速通信化、いわゆるブロードバンド化により、インターネット等のＩＰネットワークへの接続速度が高速化してきたことにより、これら高速の接続環境を通じて、音声データを送受することで、これらＩＰネットワークを通じて通話を実施するＶｏＩＰ技術が実用化されて普及してきている。
【０００３】
これらＶｏＩＰによる通話は、常時接続された定額制の接続環境を経由して通話を行うため、通常の電話回線や携帯電話回線を使用する場合に比較して、低料金の通話を実現できることから、通話料金が比較的高い携帯電話において、これらＶｏＩＰを利用できるようにするための携帯電話用アダプタが提案されている（例えば、特許文献１参照）。
【０００４】
【特許文献１】特開２００４−１３５３２４号公報
【発明の開示】
【発明が解決しようとする課題】
【０００５】
しかしながら、特許文献１の携帯電話用アダプタにおいては、これら携帯電話用アダプタを特定の企業の社員等の限られた利用者が、当該企業のＩＰネットワーク等を利用してＶｏＩＰ通話を実施する場合においては問題がないものの、これら携帯電話用アダプタを、携帯電話を利用する不特定多数の一般の利用者が、該利用者が所有する携帯電話に装着して、アクセスポイントが設置されている街頭のアクセス可能領域にて利用する場合等においては、個々にＩＰ通信網を運営してインターネット網への接続サービスを実施する複数の各プロバイダのアクセスポイントにおいても、ＶｏＩＰ通話を利用できるようにすることが、利用者の利便性を向上させる上で好ましいが、この場合には、各社のアクセスポイントにおいても、予め許可された利用者または端末のみがアクセスポイントを利用できるようにしており、これら携帯電話用アダプタが接続を許可して良い携帯電話用アダプタであるか否かを、例えば、携帯電話用アダプタを販売する販売機関の管理サーバ等に問い合わせて確認して接続を許可するようにすることが考えられるが、この場合には、管理サーバへの問い合わせが膨大な数となり、これらの確認処理に時間がかかってしまうことで、ＶｏＩＰ通話への発呼に多くの時間を要してしまい、利用者にとって使い難いものとなってしまうという問題があった。
【０００６】
本発明は、このような問題点に着目してなされたもので、複数の異なるＩＰネットワークのアクセスポイントにてＶｏＩＰ通話を可能とする場合において、接続が許可されるまでの時間や処理負荷を低減することで、ＶｏＩＰ通話への発呼に要する時間を低減でき、利用者にとって使い勝手の良いＶｏＩＰ通話システムを提供することを目的としている。
【課題を解決するための手段】
【０００７】
上記課題を解決するために、本発明の請求項１に記載のＶｏＩＰ通話システムは、
相互にデータ通信が可能に接続された複数の各ＩＰ通信網毎に設置され、当該ＩＰ通信網の運営機関が運営するアクセスポイントに設置された無線通信装置とデータ通信可能に接続されるとともに、該アクセスポイントを通じての当該ＩＰ通信網へのデータ通信接続を制御する接続制御サーバと、
前記無線通信装置との間において無線データ通信を行う無線データ通信手段と、利用者の携帯電話機と通話音声或いは通話音声データの入出力を行う通話音声入出力手段と、該通話音声入出力手段より入力された通話音声或いは通話音声データに基づき、通話先のＩＰアドレスを含むＶｏＩＰパケットを生成して前記無線データ通信手段より通話先に対して送信するとともに、前記無線データ通信手段にて受信した通話先からのＶｏＩＰパケットに基づいて前記通話音声入出力手段にて前記携帯電話機に出力される通話音声或いは通話音声データを生成するＶｏＩＰ通話制御手段と、を備え、前記携帯電話機に装着される携帯電話用アダプタと、
から成るＶｏＩＰ通話システムにおいて、
前記接続制御サーバは、当該ＩＰ通信網へのデータ通信接続を許可するための接続許可情報を記憶する接続許可情報記憶手段を備え、
前記携帯電話用アダプタは、利用者の携帯電話機に装着されたことに基づいて、当該携帯電話用アダプタに固有に付与されたアダプタ識別情報を少なくとも含む登録要求を、所定の運営機関が運営する前記接続制御サーバに送信し、
該登録要求を受信した所定の運営機関が運営する前記接続制御サーバは、当該受信した登録要求に含まれるアダプタ識別情報に対応して管理している接続許可情報を含む更新要求を他のＩＰ通信網毎に設置されている前記接続制御サーバに送信し、
該更新要求を受信した他のＩＰ通信網毎に設置されている前記接続制御サーバは、前記接続許可情報記憶手段に記憶されている接続許可情報を更新要求に含まれる接続許可情報に基づいて更新するとともに、前記アクセスポイントを介して前記携帯電話用アダプタから受信した接続許可情報が該接続許可情報記憶手段に記憶されていることを条件に、当該携帯電話用アダプタのＩＰ通信網へのデータ通信接続を許可することを特徴としている。
この特徴によれば、各ＩＰ通信網毎に設置されている接続制御サーバに更新要求が送信されて接続許可情報が更新され、該更新された接続許可情報に基づいて各接続制御サーバにて携帯電話用アダプタの接続が許可されるようになるので、接続が許可されるまでの時間や処理負荷を低減できるのでＶｏＩＰ通話への発呼に要する時間も低減でき、よって利用者にとって使い勝手の良いＶｏＩＰ通話システムを提供できる。
【０００８】
本発明の請求項２に記載のＶｏＩＰ通話システムは、請求項１に記載のＶｏＩＰ通話システムであって、
前記携帯電話用アダプタは、装着された利用者の携帯電話機の携帯電話番号を取得し、該取得した携帯電話番号を含む登録要求を送信し、
該登録要求を受信した所定の運営機関が運営する前記接続制御サーバは、該登録要求に含まれるアダプタ識別情報と携帯電話番号とを対応付けて管理することを特徴としている。
この特徴によれば、利用者の携帯電話番号が管理されるので、携帯電話用アダプタによりＶｏＩＰ通話を実施した利用者を特定し易くなるばかりか、例えば、利用者が携帯電話用アダプタを紛失または盗難されても、携帯電話番号が判れば携帯電話用アダプタを再度提供することもできる。
【０００９】
本発明の請求項３に記載のＶｏＩＰ通話システムは、請求項２に記載のＶｏＩＰ通話システムであって、
前記登録要求を受信した所定の運営機関が運営する前記接続制御サーバは、受信した登録要求に含まれるアダプタ識別情報と携帯電話番号とから成る接続許可情報を含む更新要求を送信し、
前記携帯電話用アダプタは、当該携帯電話用アダプタに付与されているアダプタ識別情報と、発呼に際して前記携帯電話機から通話先の電話番号とともに出力される当該携帯電話機の携帯電話番号とから成る接続許可情報を、無線データ通信が可能な前記アクセスポイントを介して当該アクセスポイントの運営機関に設置された接続制御サーバに送信することを特徴としている。
この特徴によれば、携帯電話用アダプタを利用者が紛失或いは盗難した場合でも、該利用者が携行する正規の携帯電話機以外の携帯電話機にて、該携帯電話用アダプタが不正に使用されることを防止できるとともに、これら接続許可情報が接続制御サーバにて管理されているので、これら接続許可情報の改竄による不正の発生も低減することができる。
【００１０】
本発明の請求項４に記載のＶｏＩＰ通話システムは、請求項１〜３のいずれかに記載のＶｏＩＰ通話システムであって、
前記携帯電話用アダプタは、ＶｏＩＰ通話の通話料金を精算するためのプリペイド価値を記憶するためのプリペイド価値記憶部と、当該携帯電話用アダプタから発呼したＶｏＩＰ通話の通話代金に相当する大きさのプリペイド価値を前記プリペイド価値記憶部に記憶されているプリペイド価値の大きさから減算更新するプリペイド価値減算更新手段と、を備えることを特徴としている。
この特徴によれば、通話先との通話代金に相当する大きさのプリペイド価値が、プリペイド価値記憶部に記憶されているプリペイド価値の大きさから減算更新されて精算されるようになるので、通話料金（代金）の課金コストや回収コストを低減できるばかりか、これらプリペイド価値が記憶された記憶媒体とＶｏＩＰ通話機能を有する携帯電話用アダプタの双方を利用者が携行する必要がなく、利用者の利便性を向上することもできる。
【００１１】
本発明の請求項５に記載のＶｏＩＰ通話システムは、請求項４に記載のＶｏＩＰ通話システムであって、
前記携帯電話用アダプタは、前記プリペイド価値記憶部に記憶されている当該携帯電話用アダプタの販売時点のプリペイド価値の大きさを含む登録要求を前記所定の運営機関が運営する接続制御サーバに送信し、
前記所定の運営機関が運営する接続制御サーバは、各アダプタ識別情報に対応付けて当該アダプタ識別情報から特定される携帯電話用アダプタの前記プリペイド価値記憶部に記憶されている少なくとも当該携帯電話用アダプタの販売時点のプリペイド価値の大きさを管理しており、受信した登録要求に含まれるプリペイド価値の大きさと該受信した登録要求に含まれるアダプタ識別情報に対応して管理しているプリペイド価値の大きさとが一致することを条件として他のＩＰ通信網毎に設置されている前記接続制御サーバに前記更新要求を送信することを特徴としている。
この特徴によれば、携帯電話用アダプタのプリペイド価値記憶部に記憶されているプリペイド価値の大きさが不正に改竄されている場合には、更新要求が各接続制御サーバに送信されないことで、これら接続制御サーバによってデータ通信接続が許可されないようになるので、これら不正なプリペイド価値の大きさのＶｏＩＰ通話への使用を極力防止することができる。
【発明を実施するための最良の形態】
【００１２】
本発明の実施例を以下に説明する。
【実施例】
【００１３】
本発明の実施例を図面に基づいて説明すると、先ず図1は、本実施例のＶｏＩＰ通話システムの構成を示す図である。
【００１４】
本実施例のＶｏＩＰ通話システムは、図１に示すように、オープンＩＰデータ通信網であるインターネット網３並びに携帯電話機５や一般電話機６との通話を可能とする公衆回線網４とに接続され、本実施例の携帯電話用アダプタ２００を販売する販売機関が運営するインターネット接続サービス会社（ＩＳＰ）１ａと、該販売機関以外の企業により運営され、当該販売機関と接続協力契約を結ぶことで接続協力関係にある前記インターネット網３への接続サービスを行う接続協力インターネット接続サービス会社（ＩＳＰ）１ｂ、１ｃとを有している。
【００１５】
このＩＳＰ１ａには、インターネット接続サービスを利用する加入者の自宅等に設置され、例えば比較的高速のデータ通信を実施するＡＤＳＬモデム等の通信装置やＶｏＩＰ通話装置を有し、接続されているパソコン８とインターネット網上の各種サーバとのデータ通信を可能とするとともに、接続されている電話機６’によるＶｏＩＰ通話を可能とする複数のＶｏＩＰアダプタ７が接続されている。
【００１６】
また、ＩＳＰ１ａや、接続協力ＩＳＰ１ｂ、１ｃ・・・には、街頭や駅等に設置されて無線ＬＡＮカード９’を装着（内蔵）したノートパソコン９等をインターネット網に接続するとともに、本実施例の携帯電話用アダプタ２００とＶｏＩＰパケットを含む無線データ通信を実施するための複数のアクセスポイント２が接続されている。
【００１７】
この本実施例のアクセスポイント２には、前記携帯電話用アダプタ２００や無線ＬＡＮカード９’に内蔵されている後述する無線ＬＡＮモジュール２０３との間において無線によるデータ通信を実施するための本発明における無線通信装置となる無線ＬＡＮ装置２’や、ＩＳＰ１ａや接続協力ＩＳＰ１ｂ、１ｃ・・・との間において比較的高速のデータ通信を実施する図示しないＡＤＳＬモデムや光通信モデム等の通信装置が設けられており、前記無線ＬＡＮ装置２’とデータ通信可能な端末をＡＤＳＬモデムや光通信モデムを通じてＩＳＰ１ａや接続協力ＩＳＰ１ｂ、１ｃ・・・に接続する接続機能を有している。
【００１８】
この本実施例のＩＳＰ１ａには、図１に示すように、主として当該ＩＳＰ１ａへの接続を制御する接続制御サーバ１０や、前記携帯電話用アダプタ２００からの発呼に関する制御処理を行う呼制御サーバ１１や、公衆回線網４への接続管理を行うゲートウェイサーバ１２が設けられており、これら各サーバ１０、１１、１２がＩＳＰ１ａ内において比較的高速のデータ通信が可能に接続されている。
【００１９】
また、ＩＳＰ１ａとインターネット網３を介してデータ通信可能に接続されている接続協力ＩＳＰ１ｂ、１ｃ・・・にも、ＩＳＰ１ａ同様に、インターネット網３への接続を制御する接続制御サーバ１０が設けられており、該接続制御サーバ１０により利用可能として登録された利用者の無線ＬＡＮカード９’や携帯電話用アダプタ２００のみが当該ＩＳＰへの接続が許可されることで、該ＩＳＰを通じてインターネット網３に接続された各サーバコンピュータや端末とのデータ通信が可能とされる。
【００２０】
つまり、ＩＳＰ１ａ、接続協力ＩＳＰ１ｂ、１ｃが個別に形成しているＩＰ通信網は、本発明における相互にデータ通信が可能に接続された複数の各ＩＰ通信網を形成している。
【００２１】
ここで、本実施例に用いた接続制御サーバ１０について簡潔に説明すると、該接続制御サーバ１０には、各携帯電話用アダプタ２００のアダプタＩＤに対応付けて、携帯電話用アダプタ２００の記憶部２０２に記憶されているプリペイド残額と同一のプリペイド残額と、該携帯電話用アダプタ２００によるＶｏＩＰ通話サービスを利用する利用者の携帯電話番号とが対応付けて記憶されており、ＶｏＩＰ通話の発呼時においてこれらアダプタＩＤと電話番号とが一致することで、呼制御サーバ１１への呼制御パケットの送信が許諾される。
【００２２】
次に、本実施例に用いた呼制御サーバ１１について簡潔に説明すると、該呼制御サーバ１１は、グローバルＩＰアドレスを介してＶｏＩＰパケットを受信可能とされている携帯電話機５、電話機６’に固有に付与された電話番号と、当該グローバルＩＰアドレスとを対応付けて記憶している。そして、呼制御サーバ１１は、グローバルＩＰアドレスを介してＶｏＩＰパケットを発信可能とされている携帯電話機５、電話機６、電話機６’から、これら記憶している携帯電話機５、電話機６’の電話番号への呼出要求（ＶｏＩＰパケット）を受付けると、該呼び出された携帯電話機５、電話機６’の電話番号に対応付けられたグローバルＩＰアドレスに呼出要求（ＶｏＩＰパケット）を中継することでＶｏＩＰ通話を開始させるための処理を実施する。また、呼制御サーバ１１は、ＶｏＩＰ通話を行っている携帯電話機５、電話機６、電話機６’からの終了指示（ＶｏＩＰパケット）を、当該ＶｏＩＰ通話の通話先の携帯電話機５、電話機６、電話機６’に対して中継することでＶｏＩＰ通話を終了させるための処理を実施する。
【００２３】
次に、本実施例に用いたゲートウェイサーバ１２は、ＶｏＩＰパケットが送受されるＩＰ通信網と公衆回線網４とを相互接続するためのゲートウェイ機能を有しており、公衆回線網４から例えばＶｏＩＰアダプタ７に接続されている電話機６’への通話を接続したり、携帯電話用アダプタ２００が装着された携帯電話機５から公衆回線網４に接続されている一般電話機６への通話を接続する。
【００２４】
次に、本実施例において使用される携帯電話機５並びに携帯電話用アダプタ２００に関して説明すると、本実施例の携帯電話機５は、図２に示すように、その下方位置に外部インタフェース（Ｉ／Ｆ）部５８を備えており、該外部Ｉ／Ｆ部５８に携帯電話用アダプタ２００の接続インタフェース（Ｉ／Ｆ）部２０４を接続することで、携帯電話用アダプタ２００を携帯電話機５に装着できるようになっている。
【００２５】
まず、本実施例に用いた携帯電話機５は、携帯電話会社（キャリア）の基地局を通じて公衆回線網４との通常の無線による音声通話機能やインターネット網３への接続機能、並びに電子メールの送受信機能に加えて、外部のリーダライタとの非接触近接通信により記憶している電子マネー額を使用可能な非接触ＩＣカード機能を提供するための非接触ＩＣチップ１００を内蔵しており、該非接触ＩＣチップ１００に記憶されている電子マネー額を各種の取引、例えば乗車料金の精算や、買い物代金の精算等に使用できるお財布機能を備えている。
【００２６】
この本実施例に用いた携帯電話機５の構成について、図３に基づいてより詳細に説明する。図３において、音声入力部５１は、マイク６５からのアナログ音声信号をディジタル信号、例えばＰＣＭデータに変換するための部位であり、マイクアンプ、フィルタ、Ａ／Ｄ変換器等で構成され、通話時における該ＰＣＭデータが外部Ｉ／Ｆ部５８を介して携帯電話用アダプタ２００に送信音声データとして送信（出力）される。音声出力部５２は、受信したディジタル音声信号（携帯電話用アダプタ２００からの受信音声データ（ＰＣＭデータ）を含む）に基づいてスピーカ６６またはイヤレシーバ６７を駆動するための部位であり、Ｄ／Ａ変換器、フィルタ、スピーカアンプ、等で構成される。ディジタル信号処理部５３は、ディジタル音声信号のエンコード、および、ディジタル音声信号へのデコードを行うための部位であり、ＤＳＰ(Digital Signal Processor)を中心とした畳み込み符号化、スロットインターリーブ、遅延検波、畳み込み復号化、等の各種専用回路で構成される。
【００２７】
また、ＲＦ入出力部５４は、電話機用アンテナ６２を介して携帯電話会社の基地局（図示略）と高周波電波の送受信を行う部位であり、直交変調器、ゲインアンプ、パワーアンプ、ダイバーシティー、ミキサー、ＩＦ復調器、アンテナ共用器等で構成される。
【００２８】
前記音声入力部５１から入力されてディジタル音声信号に変換された入力音声は、ディジタル信号処理部５３により、誤り訂正符号化、インターリーブ、拡散、Ｄ／Ａ（Ｄｉｇｉｔａｌ／Ａｎａｌｏｇ）変換などの処理を行い、その処理により生成した送信ベースバンド信号をＲＦ入出力部５４へ送る。そして、該ＲＦ入出力部５４内の直交変調器は、該送信ベースバンド信号により局部発振信号を変調して送信高周波信号を生成し、さらにその送信高周波信号を増幅した後にアンテナ共用器を通じて電話機用アンテナ６２から基地局に送信する。
【００２９】
アンテナ共用器は、送信高周波信号と受信高周波信号とで１本の電話機用アンテナ６２を共用するためのものであり、直交変調器により変調された後に増幅された送信高周波信号を電話機用アンテナ６２へ送出する機能とともに、該電話機用アンテナ６２からの受信高周波信号をＲＦ入出力部５４内のＩＦ復調器へ送出する機能を備えたフィルタ回路により構成されている。
【００３０】
電話機用アンテナ６２は、基地局との間で無線による高周波信号の送受信を行う。すなわち、前記直交変調器からアンテナ共用器を介して送られてきた送信高周波信号は、当該電話機用アンテナ６２から基地局へ送信される。一方、基地局から送信されてきた高周波信号は、当該電話機用アンテナ６２にて受信された後、アンテナ共用器を介してＩＦ復調器へ送られる。そして、該ＩＦ復調器並びにゲインアンプは、送られてきた受信高周波信号を増幅し、さらに復調処理を行って得られた受信ベースバンド信号をディジタル信号処理部５３へ送る。
【００３１】
この受信ベースバンド信号は、該ディジタル信号処理部５３において該受信ベースバンド信号のＡ／Ｄ変換、逆拡散、デインターリーブ、誤り訂正等の処理を実施して受信音声ディジタル信号として音声出力部５２へ送ることで、該音声出力部５２にてＤ／Ａ変換により受信した通話音声信号が生成、増幅されてスピーカ６６またはイヤレシーバ６７から出力されることで、無線通話機能が提供される。
【００３２】
なお、受信された信号が通話による音声データではなくて電子メールやインターネット上のウェブページのデータ信号である場合、ディジタル信号処理部５３において該受信ベースバンド信号のＡ／Ｄ変換、逆拡散、デインターリーブ、誤り訂正等の処理を実施したデータ信号（パケットデータ）が制御部５５に出力されることで、受信データに基づくページやメールが表示部５６に表示され、これらページにおける操作内容データ等や送信メールのデータ信号（パケットデータ）が、前述したディジタル音声信号に代えてディジタル信号処理部５３に送られることで、音声データと同様にこれら操作内容データ等やインターネット網３上の各サーバコンピュータからのダウンロードデータや送信メールのデータ信号が電話機用アンテナ６２から基地局へ送信されることでインターネット接続機能や電子メール機能が形成されている。
【００３３】
また、制御部５５は、携帯電話機５としての各種機能を各種のプログラムを実行することで実現するための部位であり、これら各種のプログラムを実行可能な中央演算処理回路（ＣＰＵ；Ｃｅｎｔｒａｌ Ｐｒｏｃｅｓｓｉｎｇ Ｕｎｉｔ）等で構成されている。この制御部５５には、図３に示すように、各種の情報を表示するための表示部５６（図２参照）や、携行者が各種の情報を入力するための操作部５７や、制御部５５にて実行される各種の機能を提供するための各種プログラムや当該携帯電話機５の電話番号等の設定データを記憶するためのメモリ部６０や、その時点の時間情報や日付や曜日等のカレンダ情報等を出力するリアルタイムクロック（ＲＴＣ）６１や、本実施例の携帯電話用アダプタ２００をはじめとする外部のデータ処理装置との間でシリアルデータ通信を行うための外部Ｉ／Ｆ（インタフェース）部５８や、バッテリ電源を元に各ブロックに必要な動作電力を供給するための電源部５９や、電話やメールの着信を振動により報知するためのバイブレータ部６３や、電話やメールの着信を知らせたり、充電時のインジケータとして使用される発光ダイオード（以下、ＬＥＤ）部６４が接続され、これら各部の動作制御を制御部５５が実施できるようになっており、例えば、操作部５７から入力される操作信号に応じた処理、表示部５６への表示信号処理、ＬＥＤ部６４やバイブレータ部６３を動作させるための動作制御信号の生成、メモリ部６０の書き込み或いは読み出しなどの各種制御や信号処理を行う。
【００３４】
メモリ部６０は、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ ａｎｄ Ｐｒｏｇｒａｍｍａｂｌｅ Ｒｅａｄ Ｏｎｌｙ Ｍｅｍｏｒｙ）などからなる。ＲＯＭは、当該携帯電話機５の基本的な機能を実現するためのプログラムや初期設定値や当該携帯電話機５に固有に付与された端末ＩＤや電話番号が記憶されている。ＲＡＭは、制御部５５のＣＰＵが作業領域として使用し、制御部５５を成すＣＰＵのプログラム実行中において必要に応じて計算途中のデータなどを記憶したり、他の各部と送受信するデータを一時的に記憶する。ＥＥＰＲＯＭは、不揮発性メモリであって、非接触ＩＣチップ１００に記憶されている電子マネー額をチャージしたり使用したりするための電子マネーアプリケーションプログラムや、電子メールの送受信やブラウザ機能等を提供する各種のアプリケーションプログラム、電話番号や電子メールアドレス及びそれに対応した氏名、名称などの情報からなる電話帳データ、送受信された電子メールデータ、スケジュール帳データ、発着信の通信履歴データ、メモ帳データ、利用者によりカスタマイズされた設定データ等の各種のデータを記憶する。
【００３５】
外部Ｉ／Ｆ部５８は、通信インタフェース回路、コネクタ等で構成され、該外部Ｉ／Ｆ部５８に携帯電話用アダプタ２００の接続Ｉ／Ｆ部２０４が接続されることで、携帯電話機５と携帯電話用アダプタ２００とがシリアルデータ通信にて通話音声データ等の各種のデータの送受が可能とされている。電源部５９はバッテリへの充電回路、過電流過電圧保護回路、等で構成される。表示部５６はユーザに対して表示情報を提供する部位であり、ＬＣＤドライバ、ＬＣＤ表示デバイス、等で構成される。
【００３６】
操作部５７は、電話番号やアルファベット、仮名文字、記号、絵文字等の入力に使用されるボタンや、画面上でカーソルを移動させたりメニュー項目の選択等に使用される回転機能及びプッシュボタン機能を備えたジョグダイヤル等の操作子、電話の発着信、電源オン／オフなど、ユーザにより操作される各種のキーやボタン、ダイヤルからなる。なお、カーソル操作やメニュー項目の選択等に使用される操作子はジョグダイヤルに限定されないことは言うまでもない。
【００３７】
また、本実施例の制御部５５は、図３に示すように、携帯電話機５に内蔵されている前記非接触ＩＣチップ１００に接続されており、該非接触ＩＣチップ１００に記憶されている各種データにアクセスしたり、更には、該非接触ＩＣチップ１００を介して、該非接触ＩＣチップ１００が有する近接距離での無線通信機能にて通信可能な店舗や各種施設に設置された図示しないリーダ／ライタや、自動改札機やＰＯＳ端末等のリーダ／ライタとのデータ通信を実施できるようになっている。
【００３８】
本実施例に用いた非接触ＩＣチップ１００としては、実用化されているモバイルＦｉｌｉＣａ  ＩＣチップ（ソニー（株）製商品名）を好適に使用することができ、その構成は、図３に示すように、主に、アナログ部１０２と、ディジタル制御部１０３と、本発明における電子マネー額記憶部であるメモリ１０４と、接続インタフェース１０５とで構成されており、該アナログ部１０２にはアンテナ部１０１が接続され、これらアンテナ部１０１は、例えば携帯電話機５の筐体内部に配設される。
【００３９】
アンテナ部１０１は、図示しないリーダ／ライタとの間で電磁波による非接触データの送受信を行う。アナログ部１０２は、検波、変復調、クロック抽出など、アンテナ部１０１から送受信されるアナログ信号の処理を行う。
【００４０】
ディジタル制御部１０３は、送受信データの処理やその他、非接触ＩＣチップ１００内の動作やメモリ１０４の記憶データへのアクセスを統括的にコントロールする。ディジタル制御部１０３は、アドレス可能なメモリ１０４をローカルに接続しており、該メモリ１０４の記憶領域内に電子マネー額を格納したり、ディジタル制御部１０３が実行するアクセス権管理や認証処理等のプログラム・コードをロードしたり、制御部５５において実行中の各アプリケーションの作業データや出力データを保存するために使用することができ、これらのメモリ１０４は、共通領域とフリー領域とに分かれており、共通領域に関しては、該共通領域を管理する管理機関である管理会社により管理されていて、該共通領域に記憶される各提供会社から提供されるアプリケーションや種々のデータを記憶する記憶領域や、該記憶領域に記憶されている各種のデータへのアクセス権が管理会社により管理されることで、各サービス提供者の記憶領域におけるデータのセキュリティが確保されるようになっている。
【００４１】
接続インタフェース１０５は、図示しないリーダ／ライタとの間の非接触通信インタフェースとは相違するインタフェース・プロトコルにより、ディジタル制御部１０３が制御部５５と接続するための機能モジュールである。つまり、メモリ１０４に記憶されている各種のデータは、ディジタル制御部１０３並びに接続インタフェース１０５を経由して、制御部５５に転送されるので、制御部５５にて実施される各アプリケーションのメモリ１０４へのアクセスがディジタル制御部１０３にて一元的に管理されており、該メモリ１０４に記憶されている電子マネー額は、当該電子マネー額へのアクセスが許諾された電子マネーアプリケーションプログラムによってのみ電子マネー額の減算更新による精算が可能とされている。
【００４２】
次に、本実施例に用いた携帯電話用アダプタ２００について説明すると、携帯電話用アダプタ２００は、携帯電話機５にＶｏＩＰ通話機能を付加するための通信アダプタであり、これらＶｏＩＰ通話機能を提供するために、該携帯電話用アダプタ２００内には、図３に示すように、当該携帯電話用アダプタ２００が装着される携帯電話機５と通話音声データとなるＰＣＭデータの送受による入出力を行う本発明における通話音声入出力手段となる接続Ｉ／Ｆ部２０４に加えて、ＩＳＰ１ａや、各接続協力ＩＳＰ１ｂ、１ｃ・・・に設置されている前述の各アクセスポイント２との間において無線データ通信を行う本発明における無線データ通信手段となる無線ＬＡＮモジュール２０３や、後述する制御部２０１が実施するＶｏＩＰ通話機能を提供するための各種処理内容が記述された制御プログラムをはじめとする各種のデータを記憶する記憶部２０２や、該記憶部２０２や前記無線ＬＡＮモジュール２０３や前記接続Ｉ／Ｆ部２０４に接続されて前記制御プログラムに基づいて携帯電話用アダプタ２００の動作を制御してＶｏＩＰ通話機能を提供する制御部２０１と、これら携帯電話用アダプタ２００を構成する各部に動作電力を供給する電源部２０６とが設けられている。
【００４３】
本実施例の携帯電話用アダプタ２００に用いた接続Ｉ／Ｆ部２０４は、携帯電話機５に設けられた前述の外部Ｉ／Ｆ部５８とシリアルデータ通信を行う通信インタフェース回路やコネクタ等で構成され、該シリアルデータ通信により携帯電話機５から、前記音声入力部５１においてＡ／Ｄ変換されたＰＣＭデータを送信音声として受信（入力）するとともに、通話先から送信されてくるＶｏＩＰパケットに含まれる圧縮音声データをデコードしたＰＣＭデータを受信音声として携帯電話機５に対して送信（出力）する。
【００４４】
本実施例の携帯電話用アダプタ２００に用いた記憶部２０２には、前述の制御プログラムとともに、図３に示すように、当該携帯電話用アダプタ２００に固有に付与されたアダプタ識別情報であるアダプタＩＤや、ＶｏＩＰ通話の通話代金の精算に使用される本発明におけるプリペイド価値となるプリペイド残額や、当該携帯電話用アダプタ２００が最初に装着された当該携帯電話用アダプタ２００が対応する携帯電話機５の携帯電話番号（対応携帯電話番号）や、各種（送信先がＩＰ電話を示す電話番号、一般電話を示す電話番号、携帯電話番号等）の電話番号に対応付けて発呼に必要となる課金単位金額が記憶されている課金単位金額テーブルが記憶されている。
【００４５】
つまりは、該記憶部２０２においてＶｏＩＰ通話の通話料金を精算するためのプリペイド価値となるプリペイド残額が記憶されており、該記憶部２０２によって本発明におけるプリペイド価値記憶部が形成されている。
【００４６】
本実施例の携帯電話用アダプタ２００に用いた無線ＬＡＮモジュール２０３は、ＩＳＭバンドである２．４ＧＨｚ帯におけるスペクトラム拡散通信方式にてアクセスポイント２とデータ通信を行う部位であり、これら無線ＬＡＮモジュール２０３としては、無線ＬＡＮ規格であるＩＥＥＥ８０２．１１ｂに準拠したもので、小型で低消費電力のものを好適に使用することができる。
【００４７】
また、本実施例の携帯電話用アダプタ２００に用いた制御部２０１は、前記無線ＬＡＮモジュール２０３を介してアクセスポイント２との間においてＶｏＩＰパケットの送受を行うことでＶｏＩＰ通話を可能とするためのものであり、ＤＳＰ部２０５が統合された制御マイコン（ＭＰＵ）にて構成されている。
【００４８】
このＤＳＰ部２０５には、携帯電話機５からの送信音声データ（ＰＣＭデータ）を所定の符号化音声データにエンコードして圧縮するとともに、通話先から送信されてくるＶｏＩＰパケットに含まれる圧縮音声データをＰＣＭデータにデコードするコーデック機能が搭載されている。尚、本実施例では、これら音声符号化の方式として、ＶｏＩＰ通話用のコーデックとして多く利用されていることから、ＩＴＵ−Ｔ（International Telecommunication Union-Telecommunication sector ）の標準規格であるＧ.７２９（ＣＳ−ＡＣＥＬＰ）を使用したが、本発明はこれに限定されるものではなく、該Ｇ.７２９（ＣＳ−ＡＣＥＬＰ）以外のコーデックを使用しても良いし、或いは、十分な速度の通信速度が確保できる通信環境であれば、これらコーデックを使用して音声データをエンコードすることなく、ＰＣＭデータをＶｏＩＰパケットに直接格納するようにしても良い。
【００４９】
この本実施例の制御部２０１は、前記携帯電話機５からの送信音声データ（ＰＣＭデータ）をＤＳＰ部２０５にてエンコードし、該エンコードした送信音声データを含む所定形式のＶｏＩＰパケットを生成して無線ＬＡＮモジュール２０３並びにアクセスポイント２を介して通話先へ送信するとともに、該アクセスポイント２並びに無線ＬＡＮモジュール２０３を介して通話先から送信されてくるＶｏＩＰパケットから受信音声データ（圧縮データ）を抽出し、該受信音声データ（圧縮データ）をＤＳＰ部２０５にてデコードして受信音声データ（ＰＣＭデータ）として携帯電話機５へ、接続Ｉ／Ｆ部２０４から送信（出力）する。
【００５０】
つまりは、本実施例の制御部２０１において、接続Ｉ／Ｆ部２０４より入力された送信音声データ（ＰＣＭデータ）に基づき、ＤＳＰ部２０５にてエンコードされた送信音声データ（圧縮データ）並びに後述するように呼制御サーバ１１から通知された通話先のＩＰアドレスとを含むＶｏＩＰパケットを生成して前記無線データ通信手段となる無線ＬＡＮモジュール２０３より通話先に対して送信するとともに、接続Ｉ／Ｆ部２０４より携帯電話機５に出力される受信音声データ（ＰＣＭデータ）を、該無線ＬＡＮモジュール２０３にて受信した通話先からのＶｏＩＰパケットに基づいて、該ＶｏＩＰパケットに含まれる受信音声データ（圧縮データ）をデコードして生成しており、該制御部２０１によって本発明におけるＶｏＩＰ通話制御手段が形成されている。
【００５１】
また、本実施例の携帯電話用アダプタ２００に用いた電源部２０６は、小型のリチウムイオン二次電池が使用されており、前記接続Ｉ／Ｆ部２０４に図示しない充電器を接続することで、該充電器から供給される電力により充電されるとともに、これら電源部２０６の電力の残量が少ない時には、不足する電力の供給を前記接続Ｉ／Ｆ部２０４に接続された携帯電話機５から受けて携帯電話用アダプタ２００の各部に供給するとともに、逆に、携帯電話機５に対しても、電源部２０６の電力を供給することができるようになっており、当該携帯電話用アダプタ２００の装着時においては、携帯電話機５の電源部５９と該携帯電話用アダプタ２００の電源部２０６とが協調して電力を各部に供給できるようになっている。
【００５２】
これら本実施例の携帯電話用アダプタ２００は、ＩＳＰ１ａを運営する販売機関により携帯電話機５を所有している一般の利用者に対して販売される。この際、携帯電話用アダプタ２００の記憶部２０２には、プリペイド残額として、例えば１０００円、５０００円、１００００円等のように、複数種類のプリペイド残額が記憶されており、該記憶されたプリペイド残額に応じた金額にて利用者に販売される。尚、このプリペイド残額として、例えば、１００００円の購入金額であれば、プリペイド残額として１０５００円を記憶する等のように、プレミアムを付加したものとしても良い。
【００５３】
これら携帯電話用アダプタ２００を購入した利用者は、購入した携帯電話用アダプタ２００を自身が携行している携帯電話機５に装着する。このように、携帯電話用アダプタ２００が携帯電話機５に初めて装着された場合には、該携帯電話機５への装着に応じて制御部２０１が起動して、図５に示す処理が実施される。
【００５４】
具体的には、該携帯電話機５への装着に応じて携帯電話機５との接続がＳ０において検知されてＳ１に進み、記憶部５５に既に対応携帯電話番号の記憶があるか否かを判定する。
【００５５】
この判定において対応携帯電話番号の記憶があるとの判定結果である場合には、携帯電話用アダプタ２００が初めて装着されたのではなく、２回目以降の装着であると判断してＳ７に進みＶｏＩＰアダプタメニューページを携帯電話機５（制御部５５）に送信する一方、対応携帯電話番号の記憶がない場合には、初めての装着であると判断してＳ２に進み、無線ＬＡＮモジュール２０３においてＩＳＰ１ａのアクセスポイント２との通信が可能であるか否かを確認する。
【００５６】
本実施例では、図６に示すように、例えば、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）やＵＰｎＰ（Ｕｎｉｖｅｒｓａｌ  Ｐｌｕｇ＆Ｐｌａｙプロトコル）を利用して、携帯電話用アダプタ２００の無線ＬＡＮモジュール２０３とＩＳＰ１ａのアクセスポイント２との通信が可能に構成される。
【００５７】
そして、該確認においてＩＳＰ１ａのアクセスポイント２との通信が可能ではない場合にはＳ６に進んで、アクセスポイント２との通信が不能で利用登録ができないことを報知するエラーメッセージを含む、携帯電話機５において表示可能とされた、例えばＣ−ＨＴＭＬ形式のエラーメッセージページを携帯電話機５（制御部５５）に送信することで表示部５６に表示させた後、処理を終了する一方、ＩＳＰ１ａのアクセスポイント２との通信が可能である場合にはＳ３に進んで、接続された携帯電話機５の制御部５５に対して携帯電話番号出力要求を送信して、前述のメモリ部６０に記憶されている携帯電話機５の電話番号を取得する。
【００５８】
そしてＳ４に進んで、該取得した電話番号を対応携帯電話番号として記憶部２０２に記憶するとともに、該取得した電話番号と記憶部２０２に記憶されている当該携帯電話用アダプタ２００のアダプタＩＤ並びにプリペイド残額とを含む登録要求を、図６に示すように、ＩＳＰ１ａの接続制御サーバ１０に対して送信する登録処理を実施する。
【００５９】
つまり、本実施例の携帯電話用アダプタ２００は、利用者の携帯電話機５に装着されたことに基づいて、当該携帯電話用アダプタ２００に固有に付与されたアダプタ識別情報（アダプタＩＤ）を少なくとも含む登録要求を、所定の運営機関（ＩＳＰ１ａ）が運営する前記接続制御サーバ１０に送信しており、本発明の請求項１における接続制御サーバを形成する。
【００６０】
つまり、本実施例の携帯電話用アダプタ２００は、装着された利用者の携帯電話機５の携帯電話番号を取得し、該取得した携帯電話番号を含む登録要求を送信しており、本発明の請求項２における携帯電話用アダプタに該当する。
【００６１】
つまり、本実施例の携帯電話用アダプタ２００は、前記プリペイド価値記憶部（記憶部２０２）に記憶されている当該携帯電話用アダプタ２００の販売時点（携帯電話用アダプタ２００が携帯電話機５に初めて装着されたとき）のプリペイド価値の大きさを含む登録要求を前記所定の運営機関（ＩＳＰ１ａ）が運営する接続制御サーバ１０に送信しており、本発明の請求項５における携帯電話用アダプタに該当する。
【００６２】
この登録要求の受信に応じて接続制御サーバ１０は、図６に示すように、受信した登録要求に含まれるアダプタＩＤに対応付けて、任意の携帯電話番号が登録されているか否かを判定し、いずれの携帯電話番号も登録されていないと判定した場合には、初回の接続であるとして、初期登録処理を行う。
【００６３】
ここで、接続制御サーバ１０が行う初期登録処理について説明すると、接続制御サーバ１０は、受信した登録要求に含まれるアダプタＩＤが登録されているか否かを確認するとともに、該アダプタＩＤが登録されている場合には当該アダプタＩＤに対応して記憶されているプリペイド残額が受信した登録要求に含まれているプリペイド残額と同一であるか否かを照合し、該照合結果が一致している場合において、受信した登録要求に含まれる電話番号を、当該アダプタＩＤに対応付けて予め登録されている販売時点のプリペイド残額とともに記憶部（図示略）に記憶する。その後、接続制御サーバ１０は、記憶した登録要求に含まれるアダプタＩＤと、該登録要求に含まれる電話番号とからなる新規登録要求を、接続協力ＩＳＰ１ｂ、１ｃに対して送信して、当該アダプタＩＤに対応付けて電話番号を登録させる。尚、アダプタＩＤが登録されていない場合や、プリペイド残額が一致しない場合には、電話番号が記憶されることなく登録エラーが返信される。
【００６４】
つまり、登録要求を受信した所定の運営機関（ＩＳＰ１a）が運営する本実施例の接続制御サーバ１０は、当該受信した登録要求に含まれるアダプタ識別情報（アダプタＩＤ）に対応して管理している接続許可情報（アダプタＩＤ、携帯電話用アダプタ２００が初めて装着された携帯電話機５の電話番号）を含む更新要求（新規登録要求）を他のＩＰ通信網毎（ＩＳＰ１ｂ、１ｃ）に設置されている前記接続制御サーバ１０に送信しており、本発明の請求項１における接続制御サーバを形成する。
【００６５】
つまり、登録要求を受信した所定の運営機関（ＩＳＰ１ａ）が運営する本実施例の接続制御サーバ１０は、該登録要求に含まれるアダプタ識別情報（アダプタＩＤ）と携帯電話番号とを対応付けて管理しており、本発明の請求項２における接続制御サーバを形成する。
【００６６】
つまり、登録要求を受信した所定の運営機関（ＩＳＰ１ａ）が運営する本実施例の接続制御サーバ１０は、受信した登録要求に含まれるアダプタ識別情報（アダプタＩＤ）と携帯電話番号とから成る接続許可情報を含む更新要求（新規登録要求）を送信しており、本発明の請求項３における接続制御サーバを形成する。
【００６７】
つまり、所定の運営機関（ＩＳＰ１ａ）が運営する本実施例の接続制御サーバ１０は、各アダプタ識別情報（アダプタＩＤ）に対応付けて当該アダプタ識別情報から特定される携帯電話用アダプタ２００の前記プリペイド価値記憶部（記憶部２０２）に記憶されている少なくとも当該携帯電話用アダプタの販売時点のプリペイド価値の大きさ（プリペイド残額）を管理しており、受信した登録要求に含まれるプリペイド価値の大きさと該受信した登録要求に含まれるアダプタ識別情報に対応して管理しているプリペイド価値の大きさとが一致することを条件として他のＩＰ通信網（ＩＳＰ１ｂ、１ｃ）毎に設置されている前記接続制御サーバ１０に前記更新要求（新規登録要求）を送信しており、本発明の請求項５における接続制御サーバを形成する。
【００６８】
この登録完了の受信はＳ５において検知されてＳ７に進み、図４（ａ）に示すように、記憶部２０２に記憶されているその時点のプリペイド残額の情報を含む携帯電話機５において表示可能とされたＶｏＩＰアダプタメニューページを携帯電話機５（制御部５５）に送信するメニューページ送信処理を実施することで表示部５６に表示させた後、Ｓ８〜Ｓ１０の各ステップを巡回することで、携帯電話機５において「チャージ」メニュー、ＶｏＩＰ発呼優先の「設定する」メニュー、通常通話発呼優先の「設定しない」メニューのいずれかのメニュー操作を受付けたことを示すデータの受信待ち状態に移行する。
【００６９】
このように表示部５６に表示されているＶｏＩＰアダプタメニューページにおいて、利用者が、携帯電話機５における基地局を介しての通常通話に対してＶｏＩＰ通話への発呼を優先的に実施したい場合には「設定する」メニューを選択入力することで、該「設定する」メニュー操作を受付けたことを示すデータが携帯電話機５から送信されることで、該データの受信がＳ９にて検知されてＳ１２に進み、ＶｏＩＰ通話への発呼を優先とする優先設定処理を実施する。
【００７０】
この優先設定処理において制御部２０１は、具体的に、前記携帯電話機５（制御部５５）に対して、操作部５７にて利用者から受付けた通話先の電話番号への発呼を基地局に対して実施する以前に、該通話先の電話番号と自己の電話番号とを当該携帯電話用アダプタ２００に出力させる設定を実施することを要求する優先出力設定要求を送信する。
【００７１】
この優先出力設定要求を受信した携帯電話機５の制御部５５は、メモリ部６０に記憶されている設定データを、携帯電話用アダプタ２００に優先発呼するように更新し、更新完了を返信する。この更新完了を受けて制御部２０１は図４（ｂ）に示すように、ＶｏＩＰ通話が優先設定されたことを示すメッセージを含む設定完了ページを接続されている携帯電話機５（制御部５５）に送信して該設定完了ページを所定時間に亘り表示部５６に表示させた後、優先設定処理を終了する。
【００７２】
尚、前述の優先設定処理によりＶｏＩＰ通話への発呼を優先とするように設定データが更新されたことにより、携帯電話機５の制御部５５は、表示部５６に表示する通常画面上に、ＶｏＩＰ通話への発呼が優先設定されていることを示すアイコンを表示して、ＶｏＩＰ通話への発呼が優先設定されていることを利用者に対して報知する。
【００７３】
これに対し、利用者が携帯電話機５における基地局を介しての通常通話を優先して実施したい場合には、「設定しない」メニューを選択入力することで、該「設定しない」メニュー操作を受付けたことを示すデータが携帯電話機５から送信されることで、該データの受信がＳ１０にて検知されることに基づいて当該処理を終了する。
【００７４】
つまり、本実施例の携帯電話機５にて表示されるＶｏＩＰアダプタメニューページにおいて、ＶｏＩＰ通話への発呼と携帯電話機５による通常通話への発呼のいずれの発呼を優先的に実施するかを利用者から受付けており、該携帯電話機５によって本発明における優先設定受付け手段が形成されており、このようにすることは、携帯電話機５の表示部５６や操作部５７を使用することで、利用者が設定を実施し易くなることから好ましいが、本発明はこれに限定されるものではなく、例えば、これらＶｏＩＰ通話への優先発呼を設定するための専用の設定スイッチを携帯電話用アダプタ２００に設けるようにしても良い。
【００７５】
また、本実施例のＶｏＩＰアダプタメニューページは、図５に示すように、携帯電話用アダプタ２００が携帯電話機５に装着されて携帯電話機５と接続されたことが検知される毎に該接続された携帯電話機５に送信されて表示されるようになっており、利用者が該ＶｏＩＰアダプタメニューページに表示されているプリペイド残額が少なくなっており、該プリペイド残額に携帯電話機５の電子マネー額を使用してチャージを実施したい場合には、ＶｏＩＰアダプタメニューページにおける「チャージ」メニューを選択入力すれば良い。
【００７６】
この「チャージ」メニューを選択入力することで、該「チャージ」メニュー操作を受付けたことを示すデータが携帯電話機５から送信されることで、該データの受信がＳ８にて検知されてＳ１１に進み、携帯電話機５の非接触ＩＣチップ１００のメモリ１０４に記憶されている電子マネー額を使用したプリペイド残額へのチャージ処理を実施する。
【００７７】
このチャージ処理において制御部２０１は、具体的に、携帯電話機５（制御部５５）に対して、電子マネー額出力要求を送信して、携帯電話機５のメモリ１０４に記憶されているその時点の電子マネー額を取得する。
【００７８】
この電子マネー額出力要求の受信に応じて制御部５５は、メモリ部６０に記憶されている電子マネーアプリケーションプログラムを起動して、該起動した電子マネーアプリケーションプログラムによりメモリ１０４に記憶されている電子マネー額にアクセスして電子マネー額を読み出し、該読み出した電子マネー額を携帯電話用アダプタ２００（制御部２０１）に返信する。
【００７９】
この電子マネー額の返信を受けて制御部２０１は、該電子マネー額を含む図４（ｄ）に示すチャージ金額受付けページを生成して携帯電話機５（制御部５５）に送信して表示部５６に表示させることで、チャージ金額の受付けを携帯電話機５（制御部５５）において実施させる。
【００８０】
利用者は、このチャージ金額受付けページにてチャージに使用することのできる電子マネー額を確認した後、該電子マネー額の範囲内で、チャージしたい所望の金額を操作部５７から入力した後、「実行」メニューを選択入力する。尚、チャージ処理を中止したいときは「キャンセル」メニューを選択入力すれば良い。
【００８１】
この「実行」メニューの選択入力により、チャージ金額受付けページにて入力されたチャージ金額を含むデータが携帯電話用アダプタ２００（制御部２０１）に送信されることで、該制御部２０１は、受信したチャージ金額が電子マネー額以下であるか、つまり、電子マネー額の範囲内の金額であるかを判定し、電子マネー額の範囲内の金額であることを条件として該チャージ金額の決済要求を、制御部５５にて起動されている電子マネーアプリケーションプログラムに対して送信する。
【００８２】
この決済要求の受信に応じて電子マネーアプリケーションプログラム（制御部５５）は、受信した決済要求に含まれるチャージ金額をメモリ１０４に記憶されている電子マネー額から減算更新して精算するとともに、当該電子マネーを提供する電子マネー会社に固有に付与されている電子マネー会社ＩＤを含む決済完了通知を携帯電話用アダプタ２００（制御部２０１）に送信する。
【００８３】
この決済完了通知の受信に応じて制御部２０１は、前述したチャージ金額を記憶部２０２に記憶されているプリペイド残額に加算更新するとともに、加算更新後に新たなプリペイド残額を含む図４（ｅ）に示すチャージ完了ページを携帯電話機５に送信して表示部５６に表示させて、チャージ後のプリペイド残額とチャージが完了したことを利用者に報知する一方、受信した決済完了通知に含まれる電子マネー会社ＩＤとチャージ金額とアダプタＩＤとを含むチャージ通知を、ＩＳＰ１ａの接続制御サーバ１０に送信することで、該接続制御サーバ１０においてアダプタＩＤに対応して記憶・管理されているプリペイド残額にチャージ金額に相当するプリペイド残額が加算更新されるとともに、該電子マネー会社ＩＤとチャージ金額とがチャージ履歴として記憶され、該チャージ履歴に基づいて、チャージ金額が電子マネー会社ＩＤから特定される電子マネー会社に対して販売機関から所定期間毎に請求が実施される。
【００８４】
そして、該チャージ完了ページにおける「確認」メニューを利用者が選択入力することで、該「確認」メニュー操作を受付けたことを示すデータが携帯電話機５から送信されることにより、該新たなプリペイド残額を含む図４（ａ）に示すＶｏＩＰアダプタメニューページを携帯電話機５に送信して表示部５６に表示させる。
【００８５】
このように本実施例の制御部２０１が実施するチャージ処理においては、電子マネー額記憶部となるメモリ１０４に記憶されている電子マネー額の範囲内の所定額となる利用者から受付けたチャージ額に相当する大きさのプリペイド価値となるプリペイド残額を、プリペイド価値記憶部となる記憶部２０２に記憶されているプリペイド残額に加算更新しており、該チャージ処理を実施する制御部２０１によってプリペイド価値加算更新手段が形成されている。
【００８６】
尚、本実施例では、チャージ金額を利用者より受付けるようにしているが、本発明はこれに限定されるものではなく、これらチャージ金額を所定額、例えば一律の１０００円として、利用者から受付けることなく該チャージ金額をプリペイド残額に加算更新するようにしても良い。
【００８７】
次に、ＩＳＰ１ａ、もしくは、接続協力ＩＳＰ１ｂ、１ｃのアクセスポイント２の通信エリアにおいて、携帯電話用アダプタ２００を購入した利用者が、購入した携帯電話用アダプタ２００を自身が携行している携帯電話機５に装着したときの処理の流れについて、図７に基づいて説明する。
【００８８】
まず、前提として、ＩＳＰ１ａの接続制御サーバ１０は、当該携帯電話用アダプタ２００のアダプタＩＤに対応付けて、該携帯電話用アダプタ２００が初めて装着された携帯電話機５の電話番号とを記憶部（図示略）に記憶している。
【００８９】
また、前述のように、ＩＳＰ１ｂ、１ｃの接続制御サーバ１０は、ＩＳＰ１ａの接続制御サーバ１０から送信される当該携帯電話用アダプタ２００のアダプタＩＤと当該携帯電話機５の電話番号とを含む新規登録要求を受信に基づいて、当該携帯電話用アダプタ２００のアダプタＩＤに対応付けて、該携帯電話用アダプタ２００が初めて装着された携帯電話機５の電話番号とを記憶部（図示略）に記憶している。
【００９０】
この状態で、利用者が、携帯電話用アダプタ２００を自身が携行している携帯電話機５に装着すると、携帯電話用アダプタ２００（制御部２０１）から接続許可要求がＩＳＰ１ａ、１ｂ、１ｃの接続制御サーバ１０に送信される。該接続制御サーバ１０は、受信した接続許可要求に含まれるアダプタＩＤに対応付けて、該接続許可要求に含まれる電話番号が、記憶部（図示略）に登録されているか否かを確認するとともに、登録されていると確認した場合には、接続許可要求の送信元の携帯電話用アダプタ２００（制御部２０１）から送信されてくるＩＰパケットを通過可能に設定する。また、登録されていないと確認した場合には、接続許可要求の送信元の携帯電話用アダプタ２００（制御部２０１）から送信されてくるＩＰパケットを通過不可能に設定する。
【００９１】
尚、接続許可要求の送信元の携帯電話用アダプタ２００（制御部２０１）から送信されてくるＩＰパケットを通過可能／通過不可能に設定するとは、例えば、ＩＳＰ１ａ、１ｂ、１ｃのアクセスポイント２とインターネット網３との間を接続するルータ機能を有する機器に対して、携帯電話用アダプタ２００が内蔵する無線ＬＡＮモジュール２０３に変更困難に固有に付与される無線ＬＡＮモジュール２０３の識別情報としてのＭＡＣ（Ｍｅｄｉａ  Ａｃｃｅｓｓ  Ｃｏｎｔｒｏｌ）アドレスから送信されてくるＩＰパケットを通過させる／通過させないための設定を適用することである。
【００９２】
つまり、本実施例の接続制御サーバ１０の記憶部（図示略）は、当該ＩＰ通信網（ＩＳＰ１ａ、１ｂ、１ｃ）へのデータ通信接続を許可するための接続許可情報（アダプタＩＤ、携帯電話用アダプタ２００が初めて装着された携帯電話機５の電話番号）を記憶しており、本発明の接続許可情報記憶手段を形成する。
【００９３】
つまり、更新要求（新規登録要求）を受信した他のＩＰ通信網毎（ＩＳＰ１ｂ、１ｃ）に設置されている本実施例の接続制御サーバ１０は、前記接続許可情報記憶手段（接続制御サーバ１０の記憶部（図示略））に記憶されている接続許可情報（アダプタＩＤ、携帯電話用アダプタ２００が初めて装着された携帯電話機５の電話番号）を更新要求に含まれる接続許可情報に基づいて更新するとともに、前記アクセスポイント２を介して前記携帯電話用アダプタ２００から受信した接続許可情報が該接続許可情報記憶手段に記憶されていることを条件に、当該携帯電話用アダプタのＩＰ通信網へのデータ通信接続を許可しており、本発明の請求項１における接続制御サーバを形成する。
【００９４】
つまり、本実施例の携帯電話用アダプタ２００は、当該携帯電話用アダプタ２００に付与されているアダプタ識別情報（アダプタＩＤ）と、発呼に際して（事前に）前記携帯電話機５から通話先の電話番号とともに出力される当該携帯電話機５の携帯電話番号とから成る接続許可情報を、無線データ通信が可能な前記アクセスポイント２を介して当該アクセスポイント２の運営機関（ＩＳＰ１ａ、１ｂ、１ｃ）に設置された接続制御サーバ１０に送信しており、本発明の請求項３における携帯電話用アダプタを形成する。
【００９５】
以下、本実施例のＶｏＩＰ通話システムによりＶｏＩＰ通話が実施される流れを、図８及び図９に基づいて以下に説明する。
【００９６】
まず、電話をかけたい場合に利用者は、通常における携帯電話機５の発呼の場合と同様に、操作部５７を操作して電話番号を入力するか或いは、アドレス帳や着信或いは発呼履歴から発呼先の電話番号を選択した後、発呼ボタンを操作（発呼操作）する。
【００９７】
この発呼ボタンの操作により制御部５５は、入力または選択された発呼先の電話番号と自己の携帯電話番号とを含む発呼要求を携帯電話用アダプタ２００（制御部２０１）に送信する。
【００９８】
この発呼要求の受信に応じて制御部２０１は、該受信した発呼要求に含まれる携帯電話番号と記憶部２０２に記憶している対応携帯電話番号とが一致するか否かを判定するとともに、該受信した発呼要求に含まれる発呼先の電話番号が該当する課金単位金額を、例えば、発呼先の電話番号が０３３５…であるように、発呼先が公衆回線網４に接続されている一般電話の電話番号である場合には、これら電話番号の先頭の所定桁数の数値に対応して課金単位金額テーブルに記憶されている課金単位金額、例えば７円／分のように特定し、該特定した課金単位金額以上のプリペイド残額が記憶部２０２に記憶されているか否かを判定する。
【００９９】
そして、これら判定結果が、対応携帯電話番号が一致するとともに特定した課金単位金額以上のプリペイド残額が存在するとの判断結果であることを条件として、前記呼制御サーバ１１に固有に割り当てられているグローバルＩＰアドレスに対して、当該発呼先の電話番号を含む所定形式の発呼パケット（呼出要求）を送信する発呼処理を行う。尚、本実施例では、これら発呼制御にＳＩＰ（Ｓｅｓｓｉｏｎ  Ｉｎｉｔｉａｔｉｏｎ  Ｐｒｏｔｏｃｏｌ）を使用しているが、本発明はこれに限定されるものではなく、これら発呼制御に使用するプロトコルは、適宜に選択されば良い。
【０１００】
つまり、本発明におけるＶｏＩＰ通話制御手段となる制御部２０１は、携帯電話機５から通話先の電話番号とともに出力される携帯電話機５の携帯電話番号が記憶部２０２に記憶されている携帯電話番号（対応携帯電話番号）と一致するか否かを判定し、該判定結果が、携帯電話番号が一致するとの判定結果であること、並びに携帯電話機５から出力（送信）される通話先の電話番号から特定される該通話先との通話代金の課金単位金額に相当する大きさ以上のプリペイド残額が記憶部２０２に記憶されていることを条件として前記通話先へ発呼するための発呼パケットを呼制御サーバ１１に送信する発呼処理を実施している。
【０１０１】
携帯電話用アダプタ２００（制御部２０１）からの呼出要求を受信した呼制御サーバ１１は、該呼出要求に含まれる発呼先の電話番号が登録されているかを確認する。発呼先の電話番号が登録されていない場合には、呼制御サーバ１１は、呼出エラーを携帯電話用アダプタ２００（制御部２０１）に返信して処理を終了する。
【０１０２】
受信した呼出要求に含まれる発呼先の電話番号が登録されていると確認した呼制御サーバ１１は、該呼出要求に含まれる発呼先の電話番号が該当する課金単位金額を、例えば、発呼先の電話番号が０３３５…であるように、発呼先が公衆回線網４に接続されている一般電話の電話番号である場合には、これら電話番号の先頭の所定桁数の数値に対応して課金単位金額テーブルに記憶されている課金単位金額、例えば７円／分のように特定し、該特定した課金単位金額を含む課金単位金額確認通知を携帯電話機５に送信する。ここで、課金単位金額テーブルは呼制御サーバ１１の記憶部（図示略）に記憶されている。
【０１０３】
尚、前述したように、本実施例の携帯電話用アダプタ２００の制御部２０１は、記憶部２０２に記憶されている課金単位金額テーブルに基づいて課金単位金額を算出している。しかしながら、当該課金単位金額テーブルに記憶されている課金単位金額は、携帯電話用アダプタ２００の製造時のものであり、携帯電話用アダプタ２００を販売する販売機関による変更が反映されないため必ずしも正確ではない。本実施例では、携帯電話用アダプタ２００を販売する販売機関により適宜変更されている課金単位金額が、呼制御サーバ１１の記憶部（図示略）の課金単位金額テーブルに記憶される構成としており、呼制御サーバ１１にて発呼先の電話番号が該当する正確な課金単位金額を算出して、携帯電話用アダプタ２００（制御部２０１）に送信している。
【０１０４】
課金単位金額確認通知を受信した携帯電話用アダプタ２００（制御部２０１）は、該課金単位金額確認通知に含まれる課金単位金額を記憶部２０２に記憶して、課金単位金額確認を受信した旨を示す応答を個呼制御サーバ１１に送信する。
【０１０５】
課金単位金額確認を受信した旨を示す応答を受信した呼制御サーバ１１は、携帯電話用アダプタ２００（制御部２０１）から受信していた呼出要求に含まれる発呼先の電話番号に対応付けて記憶部（図示略）に登録されているグローバルＩＰアドレスを特定し、該特定したグローバルＩＰアドレスに対して当該呼出要求を送信する。以下、呼出要求を送信した携帯電話用アダプタ２００（制御部２０１）を、発呼側アダプタと略称する。
【０１０６】
呼出要求を受信した携帯電話用アダプタ２００（制御部２０１）は、呼出中である旨を示す応答を呼制御サーバ１１に送信し、呼制御サーバ１１は、該呼出中応答を発呼側アダプタ２００（制御部２０１）に送信する。以下、呼出要求を受信した携帯電話用アダプタ２００（制御部２０１）を、着信側アダプタと略称する。
【０１０７】
また、呼出中である携帯電話機５において、利用者が受付操作、例えば、通話ボタンを操作すると、着信側アダプタ２００（制御部２０１）は、呼出が成功した旨を示す応答を呼制御サーバ１１に送信し、呼制御サーバ１１は、通話先のグローバルＩＰアドレスを含む該成功応答を発呼側アダプタ２００（制御部２０１）に送信する。
【０１０８】
成功応答を受信した発呼側アダプタ２００（制御部２０１）は、該成功応答に含まれるグローバルＩＰアドレスを、ＶｏＩＰパケットの送信先として記憶部２０２に記憶するとともに、該成功応答に基づく通話を受諾する旨を示す通話受諾（ＡＣＫ）を呼制御サーバ１１に送信し、呼制御サーバ１１は、該通話受諾（ＡＣＫ）を着信側アダプタ２００（制御部２０１）に送信する。
【０１０９】
通話受諾（ＡＣＫ）を受信した着信側アダプタ２００（制御部２０１）は、当該着信側アダプタ（制御部２０１）に対応付けられたグローバルＩＰアドレスに対して通話受諾（ＡＣＫ）を送信してきた発呼側アダプタ２００（制御部２０１）から直接送信されてくるＶｏＩＰパケットを受信するとともに、該受信したＶｏＩＰパケットの送信元の発呼側アダプタ２００（制御部２０１）に対してＶｏＩＰパケットを直接送信することで、携帯電話用アダプタ２００（制御部２０１）間の１対１でのＶｏＩＰパケット通信に基づく通話回線を形成する。これにより、利用者はＶｏＩＰ通話が可能とされる。
【０１１０】
尚、本実施例においては、発呼側アダプタ２００（制御部２０１）は、成功応答の一部として着信側アダプタ２００（制御部２０１）に対応付けられたグローバルＩＰアドレスを呼制御サーバ１１から受信する構成としているが、本発明はこれに限定されるものではなく、発呼側アダプタ２００（制御部２０１）が呼出要求を呼制御サーバ１１に送信してから、着信側アダプタ２００（制御部２０１）との間で１対１のＶｏＩＰ通話が形成されるまでの期間であれば、着信側アダプタ２００（制御部２０１）に対応付けられたグローバルＩＰアドレスをどのタイミングで受信しても良い。
【０１１１】
次いで、発呼側アダプタ２００（制御部２０１）が、ＶｏＩＰ通話中に実施する通話中処理について、図9に基づいて説明する。
【０１１２】
通話回線が形成されると発呼側アダプタ２００（制御部２０１）は、図９に示すように、記憶部２０２に記憶されているプリペイド残額から、記憶部２０２に記憶されている課金単位金額（例えば、７円）を減算更新するプリペイド価値減算更新処理を実施する。また、課金の単位時間（例えば、１分間）を計時するためのタイマをリスタートする。つまりは、本実施例の制御部２０１が実施するプリペイド価値減算更新処理において、ＶｏＩＰ通話の通話代金に相当する大きさのプリペイド価値である金額をプリペイド価値記憶部となる記憶部２０２に記憶されているプリペイド価値の大きさであるプリペイド残額から減算更新しており、該プリペイド価値減算更新処理を実施する制御部２０１により本発明におけるプリペイド価値減算更新手段が形成されている。
【０１１３】
そして、発呼側アダプタ２００（制御部２０１）は、通話終了を検知するか、単位時間が経過するまで待機状態となる。尚、通話終了は、例えば、発呼側の携帯電話機５もしくは着信側の携帯電話機５において利用者により終了操作が行われたことを条件に、あるいは、発呼側アダプタ２００（制御部２０１）において無通話状態が所定時間継続したことを条件に検知される。
【０１１４】
通話終了を検知した場合には、例えば、発呼側の携帯電話機５もしくは着信側の携帯電話機５において利用者により終了操作が行われた旨が検出された場合や、発呼側アダプタ２００（制御部２０１）において無通話状態が所定時間継続した旨が検出された場合には、発呼側アダプタ２００（制御部２０１）は、記憶部２０２に記憶されている対応携帯電話番号を含みＶｏＩＰ通話を終了させるための終了指示を呼制御サーバ１１に送信する。終了指示を受信した呼制御サーバ１１は、当該ＶｏＩＰ通話が終了した旨を記録するとともに、ＶｏＩＰ通話を終了させる終了指示を着信側アダプタ２００（制御部２０１）に送信して、ＶｏＩＰ通話を終了させる。
【０１１５】
また、通話終了を検知せずに単位時間（例えば、１分）が経過した場合には、発呼側アダプタ２００（制御部２０１）は、記憶部２０２に記憶されているプリペイド残額が、記憶部２０２に記憶されている課金単位金額（例えば、７円）以上であるか否かを判定する。
【０１１６】
プリペイド残額が課金単位金額（例えば、７円）未満である場合には、発呼側アダプタ２００（制御部２０１）は、記憶部２０２に記憶されている対応携帯電話番号とその時点のプリペイド残額を含みＶｏＩＰ通話を終了させるための終了指示を呼制御サーバ１１に送信する。終了指示を受信した呼制御サーバ１１は、該終了指示に含まれる対応携帯電話番号に対応付けて記憶部（図示略）に記憶されているプリペイド残額を更新し、ＶｏＩＰ通話を終了させる終了指示を着信側アダプタ２００（制御部２０１）に送信して、ＶｏＩＰ通話を終了させる。
【０１１７】
また、プリペイド残額が課金単位金額（例えば、７円）以上である場合には、発呼側アダプタ２００（制御部２０１）は、記憶部２０２に記憶されているプリペイド残額から、記憶部２０２に記憶されている課金単位金額（例えば、７円）を減算更新する。また、課金の単位時間（例えば、１分間）を計時するためのタイマをリスタートして、再度、通話終了を検知するか、単位時間が経過するまで待機状態となる。
【０１１８】
つまり、本実施例の携帯電話用アダプタ２００の制御部２０１が、ＶｏＩＰ通話の通話料金を精算するためのプリペイド価値（プリペイド残額）を記憶するためのプリペイド価値記憶部（記憶部２０２）と、当該携帯電話用アダプタ２００から発呼したＶｏＩＰ通話の通話代金に相当する大きさのプリペイド価値（単位課金金額）を前記プリペイド価値記憶部に記憶されているプリペイド価値の大きさから減算更新する処理（図９参照）は、プリペイド価値減算更新手段を形成する。
【０１１９】
以上、本実施例のＶｏＩＰ通信システムによれば、各ＩＰ通信網（ＩＳＰ１ｂ、１ｃ）毎に設置されている接続制御サーバ１０に更新要求（新規登録要求）が送信されて接続許可情報（アダプタＩＤ、携帯電話用アダプタ２００が初めて装着された携帯電話機５の電話番号）が更新され、該更新された接続許可情報に基づいて各接続制御サーバ１０にて携帯電話用アダプタ２００の接続が許可されるようになるので、接続が許可されるまでの時間や処理負荷を低減できるのでＶｏＩＰ通話への発呼に要する時間も低減でき、よって利用者にとって使い勝手の良いＶｏＩＰ通話システムを提供できる。
【０１２０】
また、本実施例のＶｏＩＰ通信システムによれば、利用者の携帯電話番号が管理されるので、携帯電話用アダプタ２００によりＶｏＩＰ通話を実施した利用者を特定し易くなるばかりか、例えば、利用者が携帯電話用アダプタ２００を紛失または盗難されても、携帯電話番号が判れば携帯電話用アダプタ２００を再度提供することもできる。
【０１２１】
また、本実施例のＶｏＩＰ通信システムによれば、携帯電話用アダプタ２００を利用者が紛失或いは盗難した場合でも、該利用者が携行する正規の携帯電話機５以外の携帯電話機５にて、該携帯電話用アダプタ２００が不正に使用されることを防止できるとともに、これら接続許可情報（アダプタＩＤ、携帯電話用アダプタ２００が初めて装着された携帯電話機５の電話番号）が接続制御サーバ１０にて管理されているので、これら接続許可情報の改竄による不正の発生も低減することができる。
【０１２２】
また、本実施例のＶｏＩＰ通信システムによれば、通話先との通話代金に相当する大きさのプリペイド価値（プリペイド残額）が、プリペイド価値記憶部（記憶部２０２）に記憶されているプリペイド価値の大きさから減算更新されて精算されるようになるので、通話料金（代金）の課金コストや回収コストを低減できるばかりか、これらプリペイド価値が記憶された記憶媒体とＶｏＩＰ通話機能を有する携帯電話用アダプタ２００の双方を利用者が携行する必要がなく、利用者の利便性を向上することもできる。
【０１２３】
また、本実施例のＶｏＩＰ通信システムによれば、携帯電話用アダプタ２００のプリペイド価値記憶部（記憶部２０２）に記憶されているプリペイド価値（プリペイド残額）の大きさが不正に改竄されている場合には、更新要求（新規登録要求）が各接続制御サーバ１０に送信されないことで、これら接続制御サーバ１０によってデータ通信接続が許可されないようになるので、これら不正なプリペイド価値の大きさのＶｏＩＰ通話への使用を極力防止することができる。
【０１２４】
また、本実施例のＶｏＩＰ通信システムによれば、プリペイド価値記憶部となる記憶部２０２に通話先との通話代金の課金単位金額に相当する大きさ以上のプリペイド価値存在するときに通話先への発呼が実施されて、当該通話先との通話が実施されることによる通話代金に相当する大きさのプリペイド価値が、プリペイド価値記憶部に記憶されているプリペイド価値の大きさから減算更新されて精算されるようになるので、通話料金（代金）の課金コストや回収コストを低減できるとともに、これらプリペイド価値が記憶された記憶媒体とＶｏＩＰ通話機能を有する携帯電話用アダプタの双方を利用者が携行する必要がなく、利用者の利便性を向上することができるばかりか、プリペイド価値記憶部となる記憶部２０２に通話先との通話代金の課金単位金額に相当する大きさ以上のプリペイド価値存在しない場合には、発呼が実施されないので、通話代金の精算が不能な無駄な発呼によりシステム負荷や通信負荷が大きくなることも回避できる。
【０１２５】
以上、本発明の実施例を図面により説明してきたが、具体的な構成はこれら実施例に限られるものではなく、本発明の要旨を逸脱しない範囲における変更や追加があっても本発明に含まれる。
【０１２６】
例えば、前記実施例では、電子マネー額を記憶し、該記憶している電子マネー額を使用することのできるお財布機能を備える携帯電話機５を例に説明しているが、本発明はこれに限定されるものではなく、本発明における携帯電話機は、お財布機能を有しない携帯電話機であっても良い。
【０１２７】
尚、これら電子マネー額を記憶していない携帯電話機に本発明のＶｏＩＰ通信システムを構成する携帯電話用アダプタ２００を使用する場合に関しては、これら携帯電話用アダプタ２００をプリペイド残額が無くなることで使い捨てとしても良いが、内蔵されている機器が安価なものではないので、これらプリペイド残額に再度チャージして当該携帯電話用アダプタ２００を購入した利用者が、繰返し該携帯電話用アダプタ２００を使用できることが望ましいので、これらプリペイド残額へのチャージを、販売店等に設置されている現金を受付けてジャージを実施する専用のチャージ端末にて実施できるようにしても良いし、或いは、例えばＩＳＰ１ａにチャージ用の専用サーバを設置して、当該専用サーバにおいて例えばチャージ金額の決済が可能な決済用情報としてクレジットカード番号とチャージ金額とアダプタＩＤとを受付けて、該アダプタＩＤとチャージ金額とを含む加算更新指示を専用サーバが接続制御サーバ１０並びに携帯電話用アダプタ２００に送信することで、プリペイド残額に該チャージ金額を加算更新させるようにしても良い。
【０１２８】
また、前記実施例では、記憶部２０２に対応携帯電話番号を記憶して、携帯電話機５からの発呼要求に含まれる携帯電話番号と対応携帯電話番号とが一致するか否かを判定し、一致しているときに発呼を実施するようにしているが、本発明はこれに限定されるものではなく、これら携帯電話用アダプタ２００における携帯電話番号の照合を実施しない構成としても良い。
【０１２９】
また、前記実施例では、接続制御サーバ１０は、図７に示すように、携帯電話用アダプタ２００（制御部２０１）から送信されてくる接続許可要求（アダプタＩＤ、携帯電話番号）が、予め記憶されている接続許可情報（アダプタＩＤ、携帯電話番号）に一致するか否かに基づいて、当該携帯電話用アダプタ２００（制御部２０１）から送信されてくるＩＰパケットを通過可能／通過不可能に設定する構成としているが、本発明はこれに限定されるものではなく、当該携帯電話用アダプタ２００（制御部２０１）から送信されてくるＩＰパケットを通過可能／通過不可能に制御するための情報であれば、どのような情報を接続許可情報として適用しても良い。
【０１３０】
例えば、携帯電話用アダプタ２００（制御部２０１）に固有に付与されたアダプタＩＤや、携帯電話用アダプタ２００（制御部２０１）が内蔵する無線ＬＡＮモジュール２０３に固有に付与されたＭＡＣアドレスや、利用者から受付けたＩＤおよび／または暗証番号等を個別に、または、任意に組み合わせて適用すれば良い。
【０１３１】
また、前記実施例では、接続制御サーバ１０は、図７に示すように、携帯電話用アダプタ２００（制御部２０１）から送信されるＩＰパケットに付与される無線ＬＡＮモジュール２０３のＭＡＣアドレスに基づいて通過させる／通過させないための設定を適用したルータ機能を有する機器により、携帯電話用アダプタ２００の接続制御を行う構成としているが、本発明はこれに限定されるものではなく、当該携帯電話用アダプタ２００（制御部２０１）の接続をから送信されてくるＩＰパケットを通過可能／通過不可能に制御できれば、どのような制御方法を用いても良い。例えば、携帯電話用アダプタ２００（制御部２０１）から送信されるＩＰパケットに付与されるＩＰアドレスに基づいてＩＰパケットの通過制御を行うよう設定したルータ機能を有する機器を用いても良い。
【０１３２】
また、前記実施例では、携帯電話用アダプタ２００（制御部２０１）は、携帯電話用アダプタ２００（制御部２０１）が装着された携帯電話機５から取得した電話番号と、記憶部２０２に予め記憶されている対応携帯電話番号とが一致したことを条件に、利用者の発呼操作に基づく接続許可要求を接続制御サーバ１０に送信するとともに、接続制御サーバ１０は、該受信した呼出要求に含まれるアダプタＩＤと電話番号が、記憶部（図示略）に予め記憶されているアダプタＩＤと電話番号に一致したことを条件に、接続を許可する構成としており、携帯電話用アダプタ２００（制御部２０１）と接続制御サーバ１０の双方において、利用が許可されている携帯電話機５に携帯電話用アダプタ２００（制御部２０１）が装着されたかの確認が行われるため不正利用の防止の観点上好ましいが、本発明はこれに限定されるものではなく、一方にて行われるようにすれば、他方の処理負荷を軽減することができる。
【０１３３】
また、前記実施例では、接続制御サーバ１０は、図６に示すように、アダプタＩＤに対応付けて販売時点のプリペイド残高を予め記憶しており、携帯電話用アダプタ２００が携帯電話機５に初めて装着されたときに、携帯電話用アダプタ２００（制御部２０１）から送信される登録要求に含まれるプリペイド残高と一致したことを条件に初期登録処理を行うとともに、これ以降、携帯電話用アダプタ２００が携帯電話機５に装着されたときには、接続制御サーバ１０は、アダプタＩＤと電話番号のみを受信することで接続制御を行っており、接続制御にかかる処理を簡便に行えるため好ましいが、本発明はこれに限定されるものではなく、接続制御サーバ１０が、携帯電話用アダプタ２００（制御部２０１）からＶｏＩＰ通話の終了ごとに送信されるその時点のプリペイド残額を、当該携帯電話用アダプタ２００（制御部２０１）のアダプタＩＤに対応付けて更新記憶しておき、携帯電話用アダプタ２００が携帯電話機５に装着されるごとに送信されるアダプタＩＤと電話番号とプリペイド残額を受信することで、これらが記憶している値と一致していることを条件に、接続制御を行う構成とすれば、携帯電話用アダプタ２００に記憶されているプリペイド残額が不正に変更されたときには、当該携帯電話用アダプタ２００からの接続を禁止することできる。
【図面の簡単な説明】
【０１３４】
【図１】本発明の実施例におけるＶｏＩＰ通話システムの構成を示す図である。
【図２】本発明の実施例に用いた携帯電話機５と携帯電話用アダプタ２００とを示す外観斜視図である。
【図３】本発明の実施例に用いた携帯電話機５と携帯電話用アダプタ２００の構成を示すブロック図である。
【図４】本発明の実施例に用いた携帯電話機５の表示部５６における表示内容を示す図である。
【図５】本発明の実施例に用いた携帯電話用アダプタ２００の制御部２０１が実施する処理内容を示すフロー図である。
【図６】本実施例のＶｏＩＰ通話システムのＩＳＰ１ａで携帯電話用アダプタ２００を初めて装着したときの処理を示す図である。
【図７】本実施例のＶｏＩＰ通話システムのＩＳＰ１ａ、１ｂ、１ｃで携帯電話用アダプタ２００を装着したときの処理を示す図である。
【図８】本実施例のＶｏＩＰ通話システムの発呼から通話までの処理を示す図である。
【図９】本実施例のＶｏＩＰ通話システムの通話中から通話終了までの処理を示す図である。
【符号の説明】
【０１３５】
１ａ      ＩＳＰ（インターネット接続サービス会社）
１ｂ      接続協力ＩＳＰ
１ｃ      接続協力ＩＳＰ
２        アクセスポイント
２’      無線ＬＡＮ装置
３        インターネット網
４        公衆回線網
５        携帯電話機
６        一般電話機
７        ＶｏＩＰアダプタ
８        パソコン
９        ノートパソコン
９’      無線ＬＡＮカード
１０      接続制御サーバ
１１      呼制御サーバ
１２      ゲートウェイサーバ
５１      音声入力部
５２      音声出力部
５３      ディジタル信号処理部
５４      入出力部
５５      制御部
５６      表示部
５７      操作部
５８      外部Ｉ／Ｆ部
５９      電源部
６０      メモリ部
６２      電話機用アンテナ
６５      マイク
６６      スピーカ
１００    チップ
１０１    アンテナ部
１０２    アナログ部
１０３    ディジタル制御部
１０４    メモリ
１０５    接続インタフェース
２００    携帯電話用アダプタ
２０１    制御部
２０２    記憶部
２０３    モジュール
２０４    接続Ｉ／Ｆ部
２０５    ＤＳＰ部
２０６    電源部
【図１】
2006303758.tif 000003
【図２】
2006303758.tif 000004
【図３】
2006303758.tif 000005
【図４】
2006303758.tif 000006
【図５】
2006303758.tif 000007
【図６】
2006303758.tif 000008
【図７】
2006303758.tif 000009
【図８】
2006303758.tif 000010
【図９】
2006303758.tif 000011